(57)【特許請求の範囲】
【請求項１】
略円筒状で略全面にわたって多数の穴（１２）を穿設した軸芯（１１）を形成し、略全面にわたって多数の穴（２１）が穿設されて内部を空洞とすると共に開口した後面側を前記軸芯（１１）の表面に配置するパネル（１３）を形成し、このパネル（１３）を前記軸芯（１１）の軸方向に沿って配設すると共に、複数のパネル（１３）を軸芯（１１）に対して略放射状に配設した支持体（２）を形成し、この支持体（２）の外周面に沿って液体を濾過する濾過材（３）を着脱自在に装着してフィルター本体（１）を構成し、
前記パネル（１３）は横方向の断面が略コ字型であり、該パネル（１３）を構成している両側の側板（１４）（１５）の内側面に少なくとも一部分が対向している突条のリブ（２６）（２７）をそれぞれ突設し、両リブ（２６）（２７）の面同士が接触ないし近接していることを特徴とするフィルター。
【請求項２】
前記リブ（２６）（２７）はそれぞれ斜めに形成されており、両リブ（２６）（２７）で略Ｘ字状に形成されていることを特徴とする請求項１に記載のフィルター。
【請求項３】
略円筒状で略全面にわたって多数の穴（１２）を穿設した軸芯（１１）を形成し、略全面にわたって多数の穴（２１）が穿設されて内部を空洞とすると共に開口した後面側を前記軸芯（１１）の表面に配置するパネル（１３）を形成し、このパネル（１３）を前記軸芯（１１）の軸方向に沿って配設すると共に、複数のパネル（１３）を軸芯（１１）に対して略放射状に配設した支持体（２）を形成し、この支持体（２）の外周面に沿って液体を濾過する濾過材（３）を着脱自在に装着してフィルター本体（１）を構成し、
前記パネル（１３）は横方向の断面が略コ字型であり、該パネル（１３）を構成している両側の側板（１４）（１５）の内側面に複数の突部（２８）（２９）をそれぞれ対向した位置に突設し、対向した両突部（２８）（２９）の先端部分が接触ないし近接していることを特徴とするフィルター。
【請求項４】
前記濾過材（３）は合成樹脂製の不織布で構成されていることを特徴とする請求項１〜請求項３にいずれか記載のフィルター。
【請求項５】
前記パネル（１３）の後面の開口面（１９）を先端側より拡開させていることを特徴とする請求項１〜請求項３にいずれか記載のフィルター。
【請求項６】
前記パネル（１３）の横方向の断面を略三角形状としていることを特徴とする請求項１〜請求項３にいずれか記載のフィルター。
【発明の詳細な説明】
【０００１】
【発明の属する技術分野】
本発明は、液体を濾過して濾過材にて不純物を取り除くフィルターに関するものである。
【０００２】
【従来の技術】
従来より液体を濾過材にて濾過して該濾過材により不純物を取り除くフィルターは各種のものが既に提供されている。これらのフィルターの濾過材としては古くは紙材が用いられており、この濾過材をプリーツ状（ジグザグ状）に折曲してフィルターを構成している。
この紙材を濾過材として用いた場合は、圧力損失がすぐに高くなってフィルターの交換時期が早くなるという問題がある。また、紙材の濾過材を自立させる構造のために、全体が略円筒状となっている濾過材の径方向の寸法を大きくとることができず、大量の不純物を捕捉できず、フィルターの交換時期が早くなるという問題を有している。
【０００３】
そこで、濾過材を不織布で構成したフィルターが最近提供されてきている。そのため、濾過材を紙製からプリーツ状に折曲した不織布へと変えた場合に、紙製の濾過材よりも圧力損失を低下させることができる。
しかし、不織布からなる濾過材を自立させた構造であるために、全体が略円筒状となっている濾過材の径方向の寸法を大きくとることができず、大量の不純物を捕捉できず、フィルターの交換時期が早くなるという上記と同様の問題を有している。濾過材の径方向の寸法を大きく取ることができないために、小型のフィルターしか製作できないという問題も有している。
【０００４】
そこで、本出願人ないし本発明者は、プリーツ状（ジグザグ状）に折曲した金属製からなる支持体を設け、この支持体の表面に不織布をプリーツ状に折曲した濾過材を配設し、この支持体により不織布からなる濾過材を支持するようにしたフィルターを既に出願した（例えば、特許文献１〜特許文献３参照。）。
【０００５】
例えば、特許文献１では、多数の穴を穿孔した金属製の板をプリーツ状に折曲して全体を略円筒状に形成した支持体の両端をリング円板状のエンドキャップにて挟持し、支持体の表面に不織布からなる濾過材を装着している。
また、特許文献２、３では、上記特許文献１と同様に多数の穴を穿孔した金属製の板をプリーツ状に折曲して全体を略円筒状に形成した支持体の両端をリング円板状のエンドキャップにて挟持し、支持体の表面に不織布からなる濾過材を装着している。さらに、この特許文献２、３では、支持体の中心部分に円筒状の軸芯を配置し、支持体の径方向の寸法を軸芯側に向けて長くするようにした場合も記載されている。
【０００６】
【特許文献１】
特開２０００−６１２３５号公報（第４−６頁、図１、図１０）
【特許文献２】
特開２０００−３５４７１５号公報（第６−７頁、図１、図３、図１６、図２７、図２８）
【特許文献３】
特開２００１−１０４７１６号公報（第８−９頁、図１、図１０、図２４、図３２、図３６）
【０００７】
【発明が解決しようとする課題】
上記特許文献１〜３に記載されているフィルターや、他の従来のフィルターの濾過材は、すべてプリーツ状に折曲されていて、径方向の寸法が短くなっており、そのため、濾過すべく液体との接触面積が狭く濾過効率が劣るという問題があった。また、不純物を捕捉する量も限られてフィルターの交換時期も早くなるという問題もあった。
【０００８】
また、金属加工などにおける液体を濾過して不純物を捕捉する他のフィルターとして、磁性体の金属だけを吸着させるマグネット式のフィルターや、ロールフィルター、サイクロン、遠心分離機などが用いられている。
しかし、マグネット式のフィルターでは、アルミなどの非磁性体の金属は捕捉することができないという問題があり、また、ロールフィルター、サイクロン、遠心分離機では濾過効率が悪いという問題を有している。また、これらの各種のフィルターを一つの濾過工程に介設して、不純物を捕捉しているのが実情であり、濾過用のポンプも大きな容量のものが必要であった。
【０００９】
本発明は上述の問題点に鑑みて提供したものであって、少なくとも下記の目的を有するフィルターを提供するものである。
（１）円筒状のフィルターの径方向の寸法を大きくとって濾過すべく液体との接触面積を大きくして濾過効率を向上させること。
（２）多量の不純物の捕捉を可能として、フィルターの交換時期を長くして、ランニングコストを下げること。
（３）どのような種類の不純物であっても、一種類のフィルターでもって濾過できるようにし、濾過効率を向上させ、生産性を向上させること。
（４）濾過材を不織布にて構成し、多量の不純物を捕捉している状態であっても圧力損失の上昇を抑えて長期間にわたって運転を可能にすること。
（５）濾過工程に用いるポンプの容量を小さいものでも使用可能として、省電力化を図ること。
（６）大型のフィルターの製作を可能として、大量の流量の液体を濾過する場合でも、対応ができるようにすること。
【００１０】
【課題を解決するための手段】
そこで、本発明の請求項１記載のフィルターでは、略円筒状で略全面にわたって多数の穴１２を穿設した軸芯１１を形成し、略全面にわたって多数の穴２１が穿設されて内部を空洞とすると共に開口した後面側を前記軸芯１１の表面に配置するパネル１３を形成し、このパネル１３を前記軸芯１１の軸方向に沿って配設すると共に、複数のパネル１３を軸芯１１に対して略放射状に配設した支持体２を形成し、この支持体２の外周面に沿って液体を濾過する濾過材３を着脱自在に装着してフィルター本体１を構成し、
前記パネル１３は横方向の断面が略コ字型であり、該パネル１３を構成している両側の側板１４、１５の内側面に少なくとも一部分が対向している突条のリブ２６、２７をそれぞれ突設し、両リブ２６、２７の面同士が接触ないし近接していることを特徴としている。
【００１１】
かかる構成とすることで、濾過した液体を流す軸芯１１に対して複数のパネル１３を放射状に設けていることで、円筒状の支持体２つまりフィルター本体１の径方向の寸法を大きく取ることができ、そのため、濾過すべく液体と濾過材３との接触面積を大きくすることができ、濾過効率を大幅に向上させることができる。また、不純物を捕捉する捕捉部２３が隣接するパネル１３間となるので、多量の不純物を捕捉可能とすることができ、そのため、フィルター本体１つまり、濾過材３の交換時期を長くすることができ、ランニングコストを低下させることができる。
さらに、金属加工における鉄などの磁性体の金属粉はもちろん従来用いていたマグネット式のフィルターでは捕捉出来なかったアルミなどの非磁性体の金属粉も捕捉可能となり、従来では、マグネット式フィルター、ロールフィルター、サイクロン、遠心分離機といった各種のフィルターを１つの濾過工程で用いていたが、本発明のフィルター本体１を用いることで、１種類のフィルターでもって金属加工などの冷却用の液体を濾過でき、もって濾過効率を向上させ、生産性を向上させることができる。
また、前記パネル１３は横方向の断面が略コ字型であり、該パネル１３を構成している両側の側板１４、１５の内側面に少なくとも一部分が対向している突条のリブ２６、２７をそれぞれ突設し、両リブ２６、２７の面同士が接触ないし近接しているので、パネル１３の両側の側板１４、１５に外圧がかかってもパネル１３は凹むことはなく、パネル１３の穴２１を介して流入した濾過後の液体は、パネル１３内をスムーズに流れ、濾過効率を向上させることができる。
【００１２】
【００１３】
請求項２記載のフィルターでは、前記リブ２６、２７はそれぞれ斜めに形成されており、両リブ２６、２７で略Ｘ字状に形成されていることを特徴としている。
これにより、濾過後の液体とはリブ２６、２７が対面せずに斜めとなっているので、液体の流れを邪魔することなく液体をスムーズに通過させることができる。
【００１４】
請求項３記載のフィルターでは、略円筒状で略全面にわたって多数の穴１２を穿設した軸芯１１を形成し、略全面にわたって多数の穴２１が穿設されて内部を空洞とすると共に開口した後面側を前記軸芯１１の表面に配置するパネル１３を形成し、このパネル１３を前記軸芯１１の軸方向に沿って配設すると共に、複数のパネル１３を軸芯１１に対して略放射状に配設した支持体２を形成し、この支持体２の外周面に沿って液体を濾過する濾過材３を着脱自在に装着してフィルター本体１を構成し、
前記パネル１３は横方向の断面が略コ字型であり、該パネル１３を構成している両側の側板１４、１５の内側面に複数の突部２８、２９をそれぞれ対向した位置に突設し、対向した両突部２８、２９の先端部分が接触ないし近接していることを特徴としている。
これにより、パネル１３の両側の側板１４、１５に外圧がかかってもパネル１３は凹むことはなく、パネル１３の穴２１を介して流入した濾過後の液体は、パネル１３内をスムーズに流れ、濾過効率を向上させることができる。また、濾過後の液体とは突部２８、２９が対面せずに略半球状となっているので、液体の流れを邪魔することなく液体をスムーズに通過させることができる。
【００１５】
請求項４記載のフィルターでは、前記濾過材３は合成樹脂製の不織布で構成されていることを特徴としている。
これにより、不純物を一杯捕捉した状態となっても圧力損失はあまり上昇せず、大量の不純物を捕捉することができ、また、濾過工程に用いるポンプの容量も比較的小型の物を用いることができて、省電力化を図ることができる。また、大型のフィルター本体１を構築することができ、大量の流量の液体を濾過する場合でも、対応することができる。
【００１６】
請求項５記載のフィルターでは、前記パネル１３の後面の開口面１９を先端側より拡開させていることを特徴としている。
これにより、パネル１３の形状が略アーチ型となってパネル１３自体の剛性を向上させることができ、パネル１３に加わる外圧に対しての影響を少なくすることができる。
【００１７】
請求項６記載のフィルターでは、前記パネル１３の横方向の断面を略三角形状としていることを特徴としている。
これにより、パネル１３の形状が略アーチ型となってパネル１３自体の剛性を向上させることができ、パネル１３に加わる外圧に対しての影響を少なくすることができる。
【００１８】
【発明の実施の形態】
以下、本発明の実施の形態を図面を参照して詳細に説明する。図１はフィルター本体１の断面図を示し、図２はフィルター本体１の分解斜視図を示している。このフィルター本体１は、金属製の支持体２と、この支持体２の表面に着脱自在に装着される合成樹脂製の不織布からなる濾過材３とで構成されている。
【００１９】
上記支持体２は、円筒状の軸芯１１と、この軸芯１１の外周面に略放射状に固着される複数枚のパネル１３とで構成されている。金属製の軸芯１１の外周面には濾過材３にて濾過した後の液体を流通させる穴１２が略全周面にわたって穿孔されている。
【００２０】
上記軸芯１１の外周面に固着されるパネル１３は、図示例では８枚としているが、これは構造が理解し易いようにしているからであり、パネル１３の枚数は、１６枚、３２枚などの倍数でも良く、また、９枚以上の任意の枚数でも良い。もちろん、パネル１３の枚数は、軸芯１１の外径寸法により物理的に制限されることは言うまでもない。
【００２１】
図３は上記パネル１３の拡大斜視図を示し、図４（ａ）はパネル１３の側面図を、図４（ｂ）はパネル１３の正面図を、図４（ｃ）は図４（ａ）のＡ−Ａ断面図をそれぞれ示している。
このパネル１３は、両側の側板１４、１５と、帯状の前板１６と、上板１７及び下板１８とで構成され、パネル１３の内部は空洞となっており、さらに後面は開口されていて開口面１９としている。このようにパネル１３は内部を空洞とした空洞部２０を形成しており、この空洞部２０の厚みは、前板１６、上板１７、下板１８の幅寸法分とほぼ同様である。
【００２２】
パネル１３を構成している側板１４、１５、前板１６、上板１７及び下板１８には、略全面にわたって多数の穴２１が穿孔されている。支持体２の表面、つまり各パネル１３の表面には濾過材３が装着されるものであり、該濾過材３で濾過した液体が上記穴２１を介してパネル１３の内部の空洞部２０に流通させるために、上記の穴２１が多数穿孔されているものである。
また、パネル１３の後面の開口面１９側が軸芯１１の表面に固着されるものであり、パネル１３の開口面１９側には軸芯１１の穴１２が対応し、濾過材３を通過した液体は、パネル１３の各穴２１→パネル１３の空洞部２０→軸芯１１の穴１２→軸芯１１の内部→軸芯１１の一方の開口面を介して液体が外部へ流れるようになっている。
【００２３】
なお、パネル１３の前板１６、上板１７、下板１８には穴２１を特に設けなくても良いが、穴２１を穿孔している方が濾過すべく液体を通過させる量を多くできるので、穴２１を穿孔している方が好適例である。つまり、パネル１３の各面にそれぞれ穴２１を多数穿孔している方が、濾過すべく液体との接触面積が大きく取れるので、濾過面積が大きくなり、濾過効率を向上させることができる。
【００２４】
ここで、支持体２の各パネル１３の表面、特に側板１４、１５の表面には外圧が加わるために、パネル１３の両側の側板１４、１５が付勢されて側板１４、１５の内側面同士が接触してパネル１３内に空洞が無くなる恐れが有り、空洞部２０が無くなると液体がパネル１３内を流れなくなる。
そこで、図３及び図４に示すように、側板１４、１５の表面を凹ませて側板１４、１５の内側面がわに突出する突条のリブ２６、２７をそれぞれ該側板１４、１５の上下方向に複数形成している。このリブ２６、２７の突出量は、パネル１３の厚みの略半分としており、左右の側板１４、１５から突出したリブ２６、２７の面が図４（ａ）に示すように、互いに接触ないし近接した状態となり、パネル１３への外圧による側板１４、１５の内側への凹みを防止している。つまり、側板１４、１５の表面に液体の圧力がかかって側板１４、１５が内側に付勢されても、リブ２６、２７同士が接触することで、側板１４、１５はそれ以上内側に凹むことはない。
【００２５】
また、リブ２６、２７は上下方向に直線状に形成するのではなく、斜めに形成しており、しかも、一方の側板１４のリブ２６に対して他方の側板１５のリブ２７が略Ｘ字状に斜交するように形成されている。
このようにパネル１３の側板１４、１５に、該側板１４、１５の幅寸法の半分以上の長さのリブ２６、２７を一体に複数突設しているので、この複数のリブ２６、２７により側板１４、１５の剛性が維持されることになる。つまり、突条のリブ２６、２７を複数一体に突設させているので、このリブ２６、２７自体でもってパネル１３の側板１４、１５自体の剛性が向上して外圧による影響を少なくするようにしている。
【００２６】
さらに、パネル１３の空洞部２０では、両側の側板１４、１５の内側面から突出したリブ２６、２７の中央部分同士が接触ないし近接し、この接触部分が上下方向に複数箇所（図示例では、３カ所）あるので、側板１４、１５の内側面同士が接触して液体を流すための空洞部２０を確保し、スムーズな液体の流れを維持させることができる。
また、リブ２６、２７は上下方向に直線状に形成しているのではなく、斜めに形成しているので、リブ２６、２７が液体の流れに邪魔になることはなく、液体もスムーズに流れるようになっている。なお、リブ２６、２７は上下方向に３つ形成しているが、４つ以上でも良い。
【００２７】
また、図６に示すように、パネル１３の側板１４、１５の外側からプレスして略半球状の突部２８、２９を側板１４、１５の内側面にそれぞれ対向した位置に一体に突設して、該突部２８、２９の先端同士を接触ないし近接させて、側板１４、１５の外圧による凹みを防止するようにしても良い。なお、図６では穴２１は省略している。
上記突部２８、２９の形状は略半球状としているので、液体の流れに対してあまり抵抗することなく液体をスムーズに通過させることができる。また、突部２８、２９の形状も略半球状としているので、側板１４、１５をプレスして形成する場合も容易に形成することができる。
【００２８】
なお、図６では突部２８、２９は縦方向と横方向に一定の間隔毎に形成しているが、上下の位置をずらして形成しても良く、また、散点状に形成するようにしても良い。
【００２９】
上記のようにして構成されているパネル１３の後面の開口面１９がわを図２に示すように、軸芯１１の外周面に上下方向に溶接等の手段により固着し、また、各パネル１３を軸芯１１を中心にして放射状に配設して支持体２を形成する。
そして、図１及び図２に示すように、柔軟で撓み可能な不織布からなる濾過材３を支持体２の表面に沿って装着する。濾過材３を支持体２に装着した状態では、濾過材３はパネル１３の表面に沿って配設されるので、そのパネル１３間の空間部分により不純物を捕捉する捕捉部２３が形成されることになる。これにより、捕捉部２３を大きくでき、大量の不純物を捕捉することができる。
【００３０】
図５は濾過材３を支持体２の表面に着脱自在に装着したフィルター本体１の斜視図を示し、濾過材３の上下の部分の軸芯１１にベルト状の固定具２４により濾過材３を支持体２に固定して、フィルター本体１を構成している。
【００３１】
図７は上記フィルター本体１を用いたフィルター装置３０の断面図を示し、筐体３１の底部にはフィルター本体１にて濾過した液体の排出用のパイプ３２が配設されており、このパイプ３２の端部を流出口３３としている。
このパイプ３２の上部の開口部にフィルター本体１の軸芯１１の開口部が接続されてフィルター本体１が配置される。そして、フィルター本体１の上部は、筐体３１の上部に設けられている固定部材３４により固定されて、フィルター本体１が筐体３１の略中央部分に配設されることになる。
【００３２】
筐体３１の上面には開閉自在なフタ３５が設けられており、フィルター本体１の交換を行なう場合には、該フタ３５を開閉して行なう。また、筐体３１の上部には、濾過すべく液体が流入される流入口３６が設けられている。
また、図示していないが、パイプ３２の流出口３３の下流側には吸引用のポンプが介設されている。
【００３３】
濾過すべく液体はフィルター装置３０の流入口３６から流入されて筐体３１内に入り、さらにフィルター本体１の濾過材３にて液体が濾過されて不純物が濾過材３にて吸着ないし捕捉部２３にて捕捉されていく。濾過材３を通過した液体は各パネル１３の穴２１や軸芯１１の穴１２を介して軸芯１１内に流れていき、さらに軸芯１１の内部からパイプ３２を介して流出口３３より排出される。
なお、フィルター装置３０による液体の濾過は、循環させて何回も濾過しても良く、また、１回の濾過工程だけでも良い。
【００３４】
図８は、濾過すべく液体が濾過材３、パネル１３の穴２１や軸芯１１の穴１２を介して流れていく状態を示している。軸芯１１の外周面やパネル１３の各面には多数の穴１２、２１が穿孔されているので、これらの穴１２、２１を介して液体の吸引力が働くので、液体は濾過材３の全面にわたって吸引される。
そして、液体は濾過材３を通過した後は、各パネル１３の全面に穿孔した穴２１からパネル１３内の空洞部２０に流れ、更に空洞部２０から軸芯１１の穴１２を介して軸芯１１内に流れる。同時にパネル１３以外の軸芯１１の表面と接触している濾過材３を通過した液体は、軸芯１１の穴１２を介して軸芯１１内に流れる。軸芯１１内に入った液体はパイプ３２の流出口３３から排出される。
【００３５】
ここで、各パネル１３の両側の側板１４、１５には圧力がかかるが、リブ２６、２７の作用により上述したように側板１４、１５は内側に凹むことなく、パネル１３内の空洞部２０を維持している。これにより、濾過材３を通過した液体は、パネル１３の穴２１を介して軸芯１１内に流れたり、軸芯１１の穴１２から直接軸芯１１内に流れる。
このようにして、隣接するパネル１３の間の断面が略コ字型の面積が、濾過すべく液体との接触面積となり、濾過面積が略プリーツ状に折曲していた従来と比べて大幅に大きくなり、濾過効率を飛躍的に向上させることができる。また、不純物を捕捉する捕捉部２３が隣接するパネル１３間となるので、捕捉部２３の大きさも大きくすることができ、そのため、不純物を捕捉部２３にて捕捉する量も多くでき、フィルター本体１の交換時期を遅らせることができる。これにより、ランニングコストを低下させることができる。
【００３６】
図９はフィルター装置３０のフィルター本体１の濾過運転によりフィルター本体１の捕捉部２３にて不純物４０を捕捉している状態を示し、この濾過運転を連続して行なっても、支持体２の外周面の略全面にわたって吸引を行なっていることや、濾過材３を不織布で構成していることで、圧力損失の上昇が少なく、大量の不純物４０を捕捉することができる。
そのため、図１０に示すように、パネル１３全体、つまりフィルター本体１全体を覆うくらいになるまで、不純物４０を捕捉することが実際の濾過運転にて証明された。
【００３７】
このフィルター装置３０を濾過工程に介設することで、金属加工における鉄などの磁性体はもちろん、アルミなどの非磁性体の切削粉も容易に捕捉することができる。したがって、１つの濾過工程にマグネット式のフィルターや、ロールフィルター、サイクロン、遠心分離機等の各種のフィルターを用いる必要がなく、本発明のフィルター装置３０を１台、一つの濾過工程に介設させるだけで不純物４０を効率良く濾過して捕捉することができる。
また、多数の各種のフィルターを用いていた従来と比べて１台のフィルター装置３０で良いため、フィルター装置３０駆動用のポンプも１台で良く、また、濾過効率を向上させて生産性を向上させることができる。しかも、上述したように圧力損失があまり上昇しないので、ポンプの容量も小さなものでよく、従来の１／５程度の容量で良い。そのため、非常に省電力化を図ることができる。
【００３８】
また、図１０に示すように不純物４０を一杯捕捉した後は、フィルター装置３０からフィルター本体１を取り出して、フィルター本体１から不純物４０だけを取り除く。不純物４０を取り除いた後は、濾過材３はそのまま装着した状態でフィルター本体１をフィルター装置３０内に配設する。
これにより、フィルター本体１は濾過材３を交換することなく再利用することができ、環境に非常に良いフィルター本体１を提供することができる。もちろん、フィルター本体１の濾過材３は新しいものに交換して使用しても良く、濾過材３の交換は支持体２の表面にパネル１３に形状に沿って装着するだけで良いので、濾過材３の交換作業に容易且つ短時間で行なうことができる。
【００３９】
なお、フィルター本体１にて捕捉した不純物４０が金属粉の場合など、捕捉した金属製粉などの再利用が可能な物の場合には、廃棄するものは何も無いという究極のフィルター本体１あるいはフィルター装置３０を提供することができる。
【００４０】
ここで、上記フィルター本体１の大きさは具体的に例示していないが、製作例としては、軸芯１１の外径を４０センチ、パネル１３を含めたフィルター本体１の外径を２メートル、高さを３メートルとし、このフィルター本体１を用いて、２４時間で５万トンの液体の流量を濾過することができるフィルター装置３０を構築した。このように大型のフィルター本体１を製作することができるので、このフィルター本体１を用いたフィルター装置３０により大量の流量の液体を濾過する場合でも対応することができる。
本発明のフィルター本体１は、人が片手で持つことができる程度の大きさから、ひとかかえできる程度の大きさはもちろん、上述のようにメートル単位の大きさのものに適用することができる。特に、本発明のフィルター本体１は、メートル単位の大きさのものが好適例である。
【００４１】
図１１〜図１５は支持体２のパネル１３の他の例を示し、図１１は、先の実施形態のパネル１３と比べて、軸芯１１側の後部、つまりパネル１３の開口面１９側を少し拡開した場合であり、図１２は、パネル１３の開口面１９側をさらに拡開して隣接するパネル１３の側板１４、１５の基部が接触あるいは近接させた場合である。なお、図１２の場合では、１枚の金属板を折曲して複数のパネル１３を一体に形成して、軸芯１１に固着するようにしても良い。
【００４２】
図１３は図１１と比べてパネル１３の先端を尖らして断面を略三角形状とした場合を示し、図１４は図１３と比べてパネル１３の基部を拡開して隣接するパネル１３の側板１４、１５の基部同士を接触あるいは近接させた場合を示している。図１５は図１４と比べて同じ外径の軸芯１１に対して２倍のパネル１３を設けた場合を示している。
なお、図１１〜図１４では、パネル１３の数を８枚、図１５ではパネル１３の数を１６枚としているが、パネル１３の数は任意に設定できることは言うまでもない。また、図１４及び図１５の場合では、１枚の金属板を折曲して複数のパネル１３を一体に形成して、軸芯１１に固着するようにしても良い。
【００４３】
図１１〜図１５に示す各実施形態においては、パネル１３の断面形状がちょうど略アーチ型となってパネル１３自体の剛性を向上させることができて、パネル１３に加わる外圧に対しての影響を少なくすることができる。
【００４４】
図１１〜図１５では、支持体２のみを示しているが、支持体２の外周面のパネル１３の表面に沿って濾過材３を着脱自在に装着するのは先の実施形態と同様である。
また、支持体２を構成しているパネル１３には上記のリブ２６、２７や突部２８、２９を記載していないが、先の実施形態と同様にパネル１３に該パネル１３への外圧の影響を無くするためのリブ２６、２７あるいは突部２８、２９を形成しているものである。
【００４５】
また、上記各実施形態では、濾過材３を合成樹脂製の不織布として説明したが、この不織布の代わりに紙製で濾過材３を構成するようにしても良い。
また、上記の支持体２を金属製の代わりに剛性を備えたプラスティックで構成するようにしても良い。
【００４６】
なお、上記各実施形態における軸芯１１の外径とパネル１３の幅寸法（フィルター本体１の径方向における寸法）は、任意に設定できるものである。
【００４７】
【発明の効果】
本発明の請求項１記載のフィルターによれば、濾過した液体を流す軸芯に対して複数のパネルを放射状に設けていることで、円筒状の支持体つまりフィルター本体の径方向の寸法を大きく取ることができ、そのため、濾過すべく液体と濾過材との接触面積を大きくすることができ、濾過効率を大幅に向上させることができる。また、不純物を捕捉する捕捉部が隣接するパネル間となるので、多量の不純物を捕捉可能とすることができ、そのためフィルター本体つまり、濾過材の交換時期を長くすることができ、ランニングコストを低下させることができる。
さらに、金属加工における鉄などの磁性体の金属粉はもちろん従来用いていたマグネット式のフィルターでは捕捉出来なかったアルミなどの非磁性体の金属粉も捕捉可能となり、従来では、マグネット式フィルター、ロールフィルター、サイクロン、遠心分離機といった各種のフィルターを１つの濾過工程で用いていたが、本発明のフィルター本体を用いることで、１種類のフィルターでもって金属加工などの冷却用の液体を濾過でき、もって濾過効率を向上させ、生産性を向上させることができる。
また、前記パネルの横方向の断面が略コ字型であり、該パネルを構成している両側の側板の内側面に少なくとも一部分が対向している突条のリブをそれぞれ突設し、両リブの面同士が接触ないし近接させているので、パネルに外圧がかかってもパネルは凹むことはなく、パネルの穴を介して流入した濾過後の液体は、パネル内をスムーズに流れ、濾過効率を向上させることができる。
【００４８】
【００４９】
請求項２記載のフィルターによれば、前記リブはそれぞれ斜めに形成されており、両リブで略Ｘ字状に形成されているので、濾過後の液体とはリブが対面せずに斜めとなっているので、液体の流れを邪魔することなく液体をスムーズに通過させることができる。
【００５０】
請求項３記載のフィルターによれば、前記パネルは横方向の断面が略コ字型であり、該パネルを構成している両側の側板の内側面に複数の突部をそれぞれ対向した位置に突設し、対向した両突部の先端部分が接触ないし近接させているので、パネルの両側の側板に外圧がかかってもパネルは凹むことはなく、パネルの穴を介して流入した濾過後の液体は、パネル内をスムーズに流れ、濾過効率を向上させることができる。また、濾過後の液体とは突部が対面せずに略半球状となっているので、液体の流れを邪魔することなく液体をスムーズに通過させることができる。
【００５１】
請求項４記載のフィルターによれば、前記濾過材は合成樹脂製の不織布で構成されているので、不純物を一杯捕捉した状態となっても圧力損失はあまり上昇せず、大量の不純物を捕捉することができ、また、濾過工程に用いるポンプの容量も比較的小型の物を用いることができて、省電力化を図ることができる。また、大型のフィルター本体を構築することができ、大量の流量の液体を濾過する場合でも、対応することができる。
【００５２】
請求項５記載のフィルターによれば、前記パネルの後面の開口面を先端側より拡開させているので、パネルの形状が略アーチ型となってパネル自体の剛性を向上させることができ、パネルに加わる外圧に対しての影響を少なくすることができる。
【００５３】
請求項６記載のフィルターによれば、前記パネルの横方向の断面を略三角形状としているので、パネルの形状が略アーチ型となってパネル自体の剛性を向上させることができ、パネルに加わる外圧に対しての影響を少なくすることができる。
【図面の簡単な説明】
【図１】  本発明の実施の形態におけるフィルター本体の断面図である。
【図２】  本発明の実施の形態におけるフィルター本体の分解斜視図である。
【図３】  本発明の実施の形態におけるパネルの拡大斜視図である。
【図４】  （ａ）は本発明の実施の形態におけるパネルの側面図である。
（ｂ）は本発明の実施の形態におけるパネルの正面図である。
（ｃ）は本発明の実施の形態における図４（ａ）のＡ−Ａ断面図である。
【図５】  本発明の実施の形態におけるフィルター本体の斜視図である。
【図６】  （ａ）は本発明の実施の形態における他の例のパネルの正面図である。
（ｂ）は本発明の実施の形態における図６（ａ）のＢ−Ｂ断面図である。
【図７】  本発明の実施の形態におけるフィルター本体を用いたフィルター装置の断面図である。
【図８】  本発明の実施の形態における濾過作用を示す説明図である。
【図９】  本発明の実施の形態における濾過作用における不純物を捕捉する場合の説明図である。
【図１０】  本発明の実施の形態における濾過作用における不純物を捕捉する場合の説明図である。
【図１１】  本発明の実施の形態における他の例のパネルを用いた場合の支持体の断面図である。
【図１２】  本発明の実施の形態における更に他の例のパネルを用いた場合の支持体の断面図である。
【図１３】  本発明の実施の形態における断面形状を略三角形状としたパネルを用いた場合の支持体の断面図である。
【図１４】  本発明の実施の形態における断面形状を略三角形状とした他の例のパネルを用いた場合の支持体の断面図である。
【図１５】  本発明の実施の形態における断面形状を略三角形状とした更に他の例のパネルを用いた場合の支持体の断面図である。
【符号の説明】
１  フィルター本体
２  支持体
３  濾過材
１１  軸芯
１２  穴
１３  パネル
１４  側板
１５  側板
１９  開口面
２０  空洞部
２１  穴
２３  捕捉部
２６  リブ
２７  リブ
２８  突部
２９  突部
【図１】
0003677021.tif 000002
【図２】
0003677021.tif 000003
【図３】
0003677021.tif 000004
【図４】
0003677021.tif 000005
【図５】
0003677021.tif 000006
【図６】
0003677021.tif 000007
【図７】
0003677021.tif 000008
【図８】
0003677021.tif 000009
【図９】
0003677021.tif 000010
【図１０】
0003677021.tif 000011
【図１１】
0003677021.tif 000012
【図１２】
0003677021.tif 000013
【図１３】
0003677021.tif 000014
【図１４】
0003677021.tif 000015
【図１５】
0003677021.tif 000016